(57)【要約】【課題】  本発明の目的は、様々な撮影条件に対して、従来よりもより柔軟にタリーランプの明るさを調整することを可能にしたレンズ装置、カメラ装置及び撮影装置を提供することである。【解決手段】  複数のタリーランプを有するレンズ装置であって、前記複数のタリーランプのそれぞれの明るさに関する情報を含む明るさ情報を記憶する記憶手段と、前記複数のタリーランプのそれぞれについて、前記記憶手段に記憶された前記明るさ情報を設定する設定手段と、前記複数のタリーランプのそれぞれについて、前記明るさ情報に基づいて明るさを制御する制御手段と、を有することを特徴とするレンズ装置。【選択図】  図１
2014007447.tif 000002
【特許請求の範囲】
【請求項１】
複数のタリーランプを有するレンズ装置であって、
前記複数のタリーランプのそれぞれの明るさに関する情報を含む明るさ情報を記憶する記憶手段と、
前記複数のタリーランプのそれぞれについて、前記記憶手段に記憶された前記明るさ情報を設定する設定手段と、
前記複数のタリーランプのそれぞれについて、前記明るさ情報に基づいて明るさを制御する制御手段と、を有することを特徴とするレンズ装置。
【請求項２】
前記複数のタリーランプは、被写体側へ向けた被写体側タリーランプを含み、
フォーカスレンズ群と、
前記フォーカスレンズ群の位置としての第１フォーカスレンズ位置を検出するフォーカス位置検出手段と、を有し、
前記明るさ情報は、前記明るさに関する情報に対応付けられたフォーカスレンズ群の位置としての第２フォーカスレンズ位置を含み、
前記制御手段は、前記第１フォーカスレンズ位置に基づく被写体距離が、前記第２フォーカスレンズ位置に基づく被写体距離よりも短い場合には、前記被写体側タリーランプを、前記明るさに関する情報に基づいて制御される前記タリーランプよりも暗くすること、を特徴とする請求項１に記載のレンズ装置。
【請求項３】
前記複数のタリーランプは、被写体側へ向けた被写体側タリーランプを含み、
フォーカスレンズ群と、
ズームレンズ群と、
前記フォーカスレンズ群の位置としての第１フォーカスレンズ位置を検出するフォーカス位置検出手段と、
前記ズームレンズ群の位置としての第１ズームレンズ位置を検出するズーム位置検出手段と、を有し、
前記明るさ情報は、前記明るさに関する情報に対応付けられたフォーカスレンズ群及びズームレンズ群の位置としての第２フォーカスレンズ位置及び第２ズームレンズ位置を含み、
前記制御手段は、前記第１フォーカスレンズ位置及び前記第１ズームレンズ位置に基づく被写体距離が、前記第２フォーカスレンズ位置及び前記第２フォーカスレンズ位置に基づく被写体距離よりも短い場合には、前記被写体側タリーランプを、前記明るさに関する情報に基づいて制御される前記タリーランプよりも暗くすること、を特徴とする請求項１に記載のレンズ装置。
【請求項４】
前記明るさに関する情報は、前記タリーランプに印加する電圧値であることを特徴とする請求項１乃至３のいずれかに記載のレンズ装置。
【請求項５】
前記タリーランプは複数の発光手段を有し、
前記明るさに関する情報は、発光させる前記発光手段の数であることを特徴とする請求項１乃至３のいずれかに記載のレンズ装置。
【請求項６】
複数のタリーランプと、
前記複数のタリーランプのそれぞれについて、前記複数のタリーランプのそれぞれの明るさに関する情報を含む明るさ情報に基づいて明るさを制御する制御手段と、を有するレンズ装置に接続可能なカメラ装置であって、
前記複数のタリーランプのそれぞれについての明るさに関する情報を含む明るさ情報を記憶する記憶手段と、
前記複数のタリーランプのそれぞれについて、前記明るさ情報に含まれる前記明るさに関する情報を設定する設定手段と、を有することを特徴とするカメラ装置。
【請求項７】
請求項１乃至５のいずれかに記載のレンズ装置と、
前記レンズ装置に接続されたカメラ装置と、を有することを特徴とする撮影装置。
【請求項８】
複数のタリーランプと、
前記複数のタリーランプのそれぞれについて、前記複数のタリーランプのそれぞれについての明るさに関する情報を含む明るさ情報に基づいて明るさを制御する制御手段と、を有するレンズ装置と、
前記レンズ装置に接続された、請求項６に記載のカメラ装置と、を有することを特徴とする撮影装置。
【発明の詳細な説明】
【技術分野】
【０００１】
本発明は、レンズ装置、カメラ装置及び撮影装置に関し、特に、収録状態又は放映状態を表示するタリーランプを有するレンズ装置、カメラ装置及び撮影装置に関する。
【背景技術】
【０００２】
一般的なスタジオにおける番組撮影、或いはコンサートホール等における中継においては、複数のレンズ装置を使用して撮影を行うことが通常である。このような撮影形態の場合、複数台あるレンズ装置の中で１つのレンズ装置で撮影された映像が、収録又は放映する映像として選択されている。
【０００３】
この収録又は放映されている映像を撮影しているレンズ装置であることを被撮影者に認識させるために、タリーランプが装備されているレンズ装置がある。レンズ装置が収録又は放映中の場合にはタリーランプが点灯し、複数あるレンズ装置の中でタリーランプの点灯しているレンズ装置が収録又は放映中であることを被撮影者に認識させ、被撮影者に目線や挙動に対する注意を促すことが可能となっている。
【０００４】
例えば、特許文献１には、テレビカメラ又はテレビカメラに装着されているレンズ装置に供給されている電圧の変動により、タリーランプの明るさが不安定になり、点灯・非点灯の判断し辛い状態になることを避ける発明が開示されている。具体的には、タリーランプをパルス電圧により発光させ、かつ供給されている電圧に応じて発光させるパルス電圧のデューティー比を変更し、明るさを一定に保つ発明が開示されている。
【０００５】
特許文献２には、カメラ周辺の外光照度の違いによりカメラに装備されているビューファインダ内のタリーランプの視認性が低下することを防ぐ発明が開示されている。具体的には、ビューファインダ周辺の照度を検出し、タリーランプの輝度を適切な明るさに制御して被撮影者によるタリー表示の視認性を向上させたテレビカメラの発明が開示されている。
【先行技術文献】
【特許文献】
【０００６】
【特許文献１】特開２０００−２０９４６６号公報
【特許文献２】特開２００２−２７１６５１号公報
【発明の概要】
【発明が解決しようとする課題】
【０００７】
テレビ局のスタジオ等にある大型のレンズ装置には、複数のタリーランプが装備されているが、複数のタリーランプを有する場合には、以下のような課題がある。
【０００８】
例えば、大型のレンズ装置には、前面方向に２つ、左右側面に１つずつの合わせて４つのタリーランプが装備されているものがある。スタジオ撮影では、この様なレンズ装置を複数台使用して撮影を行っている。
【０００９】
スタジオ撮影の際には、被撮影者に目線や挙動に対する注意を促すために、タリーランプに対しては、被撮影者側からの高い視認性が求められる。当該視認性を向上させるために、タリーランプを高輝度に設定すると、レンズ装置の後方から撮影状況を注視している観客の側からは鑑賞がしづらくなる場合が生じうる。しかし、これ問題を解決するために、タリーランプを低輝度に設定すると、被撮影者側からは十分な視認性が得られない場合が生じうる。
【００１０】
また、レンズ装置と被写体との距離が近い場合において、タリーランプを高輝度に設定すると、被写体によるタリーランプの反射光が撮影映像に写り込む場合が生じうる。しかし、この問題を解決するために、タリーランプを低輝度に設定すると、撮影者側では、他の撮影者が操作するレンズ装置のタリーランプが視認しづらくなる場合が生じうる。
【００１１】
また、複数のタリーランプのうち、視認できる人がいない側のタリーランプを他のタリーランプと同様に点灯することは、無駄に電力を消費し好ましくない。
【００１２】
そこで、本発明の目的は、様々な撮影条件に対して、従来よりもより柔軟にタリーランプの明るさを調整することを可能にしたレンズ装置、カメラ装置及び撮影装置を提供することである。
【課題を解決するための手段】
【００１３】
上記目的を達成するために、本発明は、複数のタリーランプを有するレンズ装置であって、前記複数のタリーランプのそれぞれの明るさに関する情報を含む明るさ情報を記憶する記憶手段と、前記複数のタリーランプのそれぞれについて、前記記憶手段に記憶された前記明るさ情報を設定する設定手段と、前記複数のタリーランプのそれぞれについて、前記明るさ情報に基づいて明るさを制御する制御手段と、を有することを特徴とする。
【発明の効果】
【００１４】
本発明によれば、様々な撮影状況に対して、従来よりもより柔軟にタリーランプの明るさを調整することを可能にしたレンズ装置、カメラ装置及び撮影装置を提供することができる。
【図面の簡単な説明】
【００１５】
【図１】本発明の実施例であるレンズ装置の構成を示すブロック図。
【図２】実施例のレンズ装置を用いた撮影形態を示す図。
【図３】実施例の設定手段における処理の流れを示すフローチャート。
【図４】実施例の設定手段の一部における処理の流れを示すフローチャート。
【図５】実施例の設定手段の一部における処理の流れを示すフローチャート。
【図６】実施例の設定手段の一部における処理の流れを示すフローチャート。
【図７】実施例の設定手段の一部における処理の流れを示すフローチャート。
【発明を実施するための形態】
【００１６】
以下に、本発明の好ましい実施の形態を、添付の図面に基づいて詳細に説明する。図１は、本発明の実施形態にかかわるレンズ装置のブロック図である。
【実施例】
【００１７】
以下、図１を参照して、本発明の第１の実施例による、レンズ装置の構成について説明する。
【００１８】
同図において、１００は本提案によるレンズ装置全体を表す。
【００１９】
１０１はレンズ装置１００を構成する部材の制御を行うシステム演算部である。
【００２０】
１０２は不図示のカメラ等外部装置から出力された、タリーランプの点灯・消灯を司るタリー信号である。
【００２１】
１０３は後述するタリーランプに関して行われる制御を選択するモード選択手段（設定手段）である。
【００２２】
モード選択手段１０３には、各モードを選択する操作手段が設けられている。各モードとしては、輝度調整モード、輝度データ記憶モード、記憶データ呼び出しモード、フォーカス連動モードがあり、これら各モードのうちのいずれかを選択できるようになっている。
１０４は後述する記憶部材（記憶手段）１０８に記憶する、或いは記憶されているタリーランプに関する情報の記憶領域を選択するタリー記憶番号選択手段（設定手段）である。
【００２３】
１０５は後述の１１１から１１４までのタリーランプの中から１つを選択するタリーランプ選択手段（設定手段）、１０６は１０５により選択されたタリーランプの輝度を調整・設定する輝度調整手段（設定手段）である。
【００２４】
１０７は後述するタリーランプの輝度をフォーカス位置に応じて可変する機能を有効にするか否かを設定するフォーカス連動設定手段（設定手段）である。
【００２５】
１０８はタリーランプの明るさに関する情報としての輝度情報等を含む明るさ情報を記憶する記憶部材（記憶手段）である。本実施例において、明るさに関する情報としては、タリーランプに印加する電圧値を用いたが、それに代えて、タリーランプの輝度を用いてもよい。また、タリーランプが複数の発光手段を有する場合には、発光させる発光手段の数を明るさに関する情報として用いてもよい。
【００２６】
１０９はシステム演算部１０１から与えられる指令値によりタリーランプの輝度を調整する制御部としてのタリー制御部（ランプ輝度制御部）である。
【００２７】
１１０はタリー制御部で消費される電流値の検出を行うタリー電流検出部（電流検出部）、１１１，１１２，１１３，１１４の各々は１０９のタリー制御部により輝度制御が行われるタリーランプである。タリーランプ１１１，１１２，１１３，１１４は、収録状態又は放映状態を表示するためのものである。
【００２８】
さらに、１１５はシステム演算部１０１から出力された指令信号に従って後述するフォーカスレンズ群１１７を駆動制御するフォーカス駆動制御部、１１６はフォーカスレンズ群を駆動するためのモータである。
【００２９】
１１７は１１６のモータにより光軸方向に駆動されることでレンズ装置のフォーカシング機能を司るフォーカスレンズ群、１１８は前述したフォーカスレンズ群の光軸方向の位置検出を行うフォーカス位置検出器（フォーカス位置検出手段）である。
【００３０】
図２は図１の構成を備えたレンズ装置における、実際の撮影状況におけるタリーランプ輝度の設定の一例である。同図において、レンズ装置１、レンズ装置２、レンズ装置３は夫々図１の構成を備えたレンズ装置であり、撮影スタジオ等で中央の被写体４の撮影を行っている状態を表している。
【００３１】
レンズ装置１は前面方向にタリーランプ（以下、「タリー」ともいう）１１、タリー１２、側面方向にタリー１３、タリー１４を有している。被写体に正対しているタリー１１とタリー１２は被写体１からの視認性を確保するためにタリーランプの輝度を高くし、側面のタリー１４はレンズ装置２、レンズ装置３の操作者に対して十分な視認性を確保する輝度に設定してある。また、タリー１３については、タリー１３の方向からレンズ装置１の映像が収録、或いは本線で使用中であることを知らしめる対象が存在しないため消灯状態に設定している。
【００３２】
同様にレンズ装置２においては、前面方向のタリー２１、２２については、被写体４からの視認性を確保するために高い輝度を設定している。側面方向のタリー２３についてはレンズ装置１の操作者に対してタリーの状態を知らしめるために十分な視認性を持つ輝度を設定し、同様にタリー２４についてはレンズ装置３の操作者に対して十分な視認性を持つ輝度を設定する。
【００３３】
図３では、図２のレンズ装置１の撮影状態を含む、各々のタリーランプの設定についてフローチャートを使って説明する。
【００３４】
同図のフローチャートは図１のシステム演算部１０１において、予め決められた時間毎に、処理を開始するＳＴＥＰ１００から処理を終了するＳＴＥＰ１０４に至る一連の処理を行っている。
【００３５】
ＳＴＥＰ１００は一連の処理のエントリーポイントを表している。
【００３６】
ＳＴＥＰ１０１では図１の１０３で示されているタリー制御モード選択手段で選択されている制御モード（輝度調整モード、輝度データ記憶モード、記憶データ呼び出しモード、フォーカス連動モードのいずれか）の状態を確認する。制御モードがタリーランプの輝度を調整するための調整モードであると判断された場合はＳＴＥＰ１０２に進み、その他の場合はＳＴＥＰ１０５の処理へ進む、ＳＴＥＰ１０２で各々のタリー輝度の設定を行い、ＳＴＥＰ１０３へ進む。このＳＴＥＰ１０２での処理の詳細については図４を用いて後述する。
【００３７】
次に、ＳＴＥＰ１０１から分岐したＳＴＥＰ１０５では、ＳＴＥＰ１０１と同様に図１のタリー制御モード選択手段１０３で選択されている制御モードの状態を確認する。制御モードがタリーランプに設定された輝度を記憶するための輝度データ記憶モードであると判断された場合にはＳＴＥＰ１０６へ進み、その他の場合はＳＴＥＰ１０７へ進む。
【００３８】
ＳＴＥＰ１０６では各々のタリーランプの輝度を確保するために、タリー制御部に設定しているタリーランプ電圧の値を記憶部材１０８に記憶する処理を行い、ＳＴＥＰ１０３へ進む。このＳＴＥＰ１０６にて行われる処理の詳細については図５を用いて後述する。
【００３９】
ＳＴＥＰ１０５から分岐したＳＴＥＰ１０７では、ＳＴＥＰ１０１と同様に図１のタリー制御モード選択手段１０３で選択されている制御モードの状態を確認する。制御モードが記憶データを呼び出す記憶データ呼び出しモードであると判断された場合にはＳＴＥＰ１０８へ進み、記憶データ呼び出しモードではないと判断された場合にはＳＴＥＰ１０９へ進む。
【００４０】
ＳＴＥＰ１０８では記憶部材１０８に記憶されている、タリー制御部に設定するタリーランプの電圧値（タリーランプ電圧）を読み出し、タリー制御部に設定、記憶された輝度でタリーランプ１１１から１１４を点灯する処理を行っている。このＳＴＥＰ１０８の処理の詳細については図６を用いて後述する。
【００４１】
次にＳＴＥＰ１０７から分岐したＳＴＥＰ１０９では、図１の１０７で示されているフォーカス連動設定手段の状態がタリー輝度とフォーカス位置を連動が許可されている場合（フォーカス連動モードであると判断された場合）は、ＳＴＥＰ１１０に進む。フォーカス連動設定手段１０７の状態がフォーカス連動が許可されていない場合（フォーカス連動モードではないと判断された場合）は、ＳＴＥＰ１１３へ進む。
【００４２】
ＳＴＥＰ１１０では図１の１０２で示されているタリー信号の状態を検出する。タリー信号１０２の状態がタリーランプを点灯させる状態であると判断された場合はＳＴＥＰ１１１（ＳＴＥＰ１１１のエントリーポイントであるＳＴＥＰ５００）へ進み、タリーランプを消灯させる状態であると判断された場合はＳＴＥＰ１１２へ進む。
【００４３】
ＳＴＥＰ１１１ではフォーカスレンズ群の位置を検出し、フォーカスレンズ群の位置をパラメータとしたタリーランプ電圧を取得し、タリー制御部に取得した電圧を設定する処理を行っている。処理の詳細については図７を用いて後述する。
【００４４】
ＳＴＥＰ１０９から分岐したＳＴＥＰ１１３ではＳＴＥＰ１１０と同様にタリー信号の状態を検出、タリー信号の状態がタリーランプを点灯させると判断された場合はタリー制御部に設定されている電圧を変化させること無く、ＳＴＥＰ１０３へ進む。
【００４５】
ＳＴＥＰ１０２，１０６，１０８，１１１，１１３の次のＳＴＥＰ１０３では、これらのＳＴＥＰでの処理結果を確認するために、これらのＳＴＥＰでの処理結果を反映させるようにタリーランプを発光させる。
【００４６】
ＳＴＥＰ１１０から分岐したＳＴＥＰ１１２ではタリー制御部にタリーランプを消灯させる電圧を出力しタリーランプ１１１から１１４を消灯状態にする。
【００４７】
ＳＴＥＰ１０３，１１２の次のＳＴＥＰ１０４において、ある任意の時間における、一連のタリーランプ設定の処理を終了し、システム演算部１０１ではタリーランプの設定とは異なるレンズ装置１００を動作させるために必要な処理を行う。
【００４８】
（ＳＴＥＰ１０２についての説明）
ＳＴＥＰ１０２においては、複数のタリーランプのそれぞれについて、輝度（明るさ）調整する処理（輝度調整モードにおける処理）を行う。
【００４９】
ＳＴＥＰ１０２は、ＳＴＥＰ２００，２０１，２０２，２０３，そして２０４からなる。
【００５０】
ＳＴＥＰ２００は、調整モードにおける調整処理のエントリーポイントであり、タリーモード選択手段１０３を操作し、調整モードに設定していた場合に、ＳＴＥＰ１０１からＳＴＥＰ１０２のエントリーポイント（ＳＴＥＰ２００）に進む。
【００５１】
ＳＴＥＰ２０１では、タリーランプ選択手段１０５により、明るさを変更するタリーランプを複数のタリーランプ１１１，１１２，１１３，１１４の中から選択する。
【００５２】
ＳＴＥＰ２０２では、ＳＴＥＰ２０１において特定のタリーランプが選択された状態において、輝度調整手段１０６により輝度調整を行う。この輝度調整は、輝度調整手段１０６が備える輝度操作手段（不図示）を操作することにより行なわれ、輝度操作手段を操作しながらタリーランプの発光状態が変化する様子を確認することができる。
【００５３】
タリーランプが所望の明るさになったことを確認したのちに、輝度調整手段１０６が備える輝度確定手段（不図示）を操作することにより、タリーランプへの印加電圧値（設定値）がタリー制御部１０９に入力される。
【００５４】
ＳＴＥＰ２０３では、入力された印加電圧値（設定値）によりタリーランプへの印加電圧値（タリーランプ電圧）が変更される。
【００５５】
ＳＴＥＰ２０３における処理が終了したら、ＳＴＥＰ２０４へ進み、調整モードにおける一連の処理を終了する。
【００５６】
（ＳＴＥＰ１０６についての説明）
ＳＴＥＰ１０６においては、複数のタリーランプのそれぞれについて、輝度データ（明るさに関する情報）を記憶させる処理（輝度データ記憶モードにおける処理）を行う。ここで、輝度データとしては、所望の輝度を達成するための電圧値としての、タリーランプに印加する電圧値（印加電圧値）を用いる。
【００５７】
ＳＴＥＰ１０６は、ＳＴＥＰ３００，３０１，３０２，そして３０３からなる。
【００５８】
ＳＴＥＰ３００は、輝度データ記憶モードにおける輝度データ記憶処理のエントリーポイントであり、タリーモード選択手段１０３を操作し、記憶モードに設定していた場合に、ＳＴＥＰ１０５からＳＴＥＰ１０６のエントリーポイント（ＳＴＥＰ３００）に進む。
【００５９】
ＳＴＥＰ３０１では、輝度データ（明るさに関する情報）を記憶させたいタリーランプに対応する番号を、タリー記憶番号選択手段１０４により選択する。
【００６０】
ＳＴＥＰ３０２では、ＳＴＥＰ３０１において特定のタリーランプに対応する番号（記憶番号）が選択された後に、記憶番号に対応するタリーランプへの輝度データ（印加電圧値）が、特定のタリーランプに対応付けられる形で記憶部材１０８に記憶される。
【００６１】
ＳＴＥＰ３０２における印加電圧値の記憶処理が終了したら、ＳＴＥＰ３０３へ進み、記憶モードにおける一連の処理を終了する。
（ＳＴＥＰ１０８についての説明）
ＳＴＥＰ１０８においては、複数のタリーランプのそれぞれについて、記憶部材１０７に記憶された記憶データを呼び出す（読み出す）処理（記憶データ呼び出しモードにおける処理）を行う。
【００６２】
ＳＴＥＰ１０８は、ＳＴＥＰ４００，４０１，４０２，そして４０３からなる。
【００６３】
ＳＴＥＰ４００は、記憶データ呼び出しモードにおける記憶データ呼び出し処理のエントリーポイントである。タリーモード選択手段１０３を操作し、記憶データ呼び出しモードに設定していた場合に、ＳＴＥＰ１０７からＳＴＥＰ１０８のエントリーポイント（ＳＴＥＰ４００）に進む。
【００６４】
ＳＴＥＰ４０１では、輝度データ（明るさに関する情報）を呼び出したい（読み出したい）タリーランプに対応する番号（記憶番号）を、タリー記憶番号選択手段１０４により選択する。
【００６５】
ＳＴＥＰ４０２では、ＳＴＥＰ４０１において特定のタリーランプに対応する番号（記憶番号）が選択された後に、記憶番号に対応するタリーランプへの輝度データ（印加電圧値）が呼び出される（読み出される）。
【００６６】
ＳＴＥＰ３０２における印加電圧値の記憶データ呼び出し処理が終了したら、ＳＴＥＰ４０３へ進み、記憶データ呼び出しモードにおける一連の処理を終了する。
【００６７】
（ＳＴＥＰ１１１についての説明）
ＳＴＥＰ１１１においては、フォーカスレンズ群の位置（第１フォーカスレンズ位置）を検出し、フォーカスレンズ群の位置をパラメータとしたタリーランプ電圧を取得し、タリー制御部に取得した電圧を設定する処理（フォーカス連動モードにおける処理）を行う。
【００６８】
ＳＴＥＰ１１１は、ＳＴＥＰ５００，５０１，５０２，そして５０３からなる。
【００６９】
ＳＴＥＰ５００は、フォーカス連動モードにおける設定電圧算出処理のエントリーポイントである。
【００７０】
ＳＴＥＰ５０１では、フォーカス位置検出手段としてのフォーカス位置検出器１１８により、フォーカスレンズ群の位置（第１フォーカスレンズ位置）を検出する。、
ＳＴＥＰ５０２では、システム演算部１０１は、輝度データに対応付ける形で予め記憶部材１０８に記憶されたフォーカスレンズ群の位置（第２フォーカスレンズ位置）に基づく被写体距離と、第１フォーカスレンズ位置に基づく被写体距離とを比較する。
【００７１】
比較した結果、第１フォーカスレンズ位置に基づく被写体距離が、第２フォーカスレンズ位置に基づくものよりも短い場合には、特定のタリーランプを、輝度データに基づいて制御される（制御されたときの）タリーランプよりも暗くなるタリー設定電圧を算出する。当該特定のタリーランプとしては、被写体が視認し易いように光の出射方向を被写体側へ向けたタリーランプ（被写体側タリーランプ）とするのがよい。
【００７２】
レンズ装置と被写体との距離が近い場合においては、被写体によるタリーランプの反射光が撮影映像に写り込む場合が生じうるが、上記方法により、この問題を効果的に解消することができる。
【００７３】
ＳＴＥＰ５０２における設定電圧算出処理が終了したら、ＳＴＥＰ５０３へ進み、設定電圧算出モードにおける一連の処理を終了する。
【００７４】
以上、本発明の好ましい実施形態について説明したが、本発明はこれらの実施形態に限定されず、その要旨の範囲内で種々の変形及び変更が可能である。
【００７５】
たとえば、フォーカス連動モードにおいては、フォーカスレンズ群の位置を用いて設定電圧算出処理を行ったが、このとき、フォーカスレンズ群の位置に加え、ズームレンズレンズ群の位置（第１ズームレンズ位置）を用いてもよい。つまり、フォーカスレンズ群の位置及びズームレンズ群の位置（以下、「第１レンズ位置」という）を用いて設定電圧算出処理を行ってもよい。
【００７６】
つまり、輝度データ（明るさに関する情報）に対応付ける形で予め記憶部材１０８に記憶された第２フォーカスレンズ位置及び第２ズームレンズ位置（以下、「第２レンズ位置」という）と、第１レンズ位置とを比較する。
【００７７】
比較した結果、第１レンズ位置に基づく被写体距離が、第２レンズ位置に基づくものよりも短い場合には、特定のタリーランプを、輝度データ（明るさに関する情報）に基づいて制御される（制御されたときの）タリーランプよりも暗くなるタリー設定電圧を算出する。
【００７８】
フォーカスレンズ群の位置だけでは被写体距離が定まらず、フォーカスレンズ群の位置及びズームレンズ群の位置で被写体距離（合焦位置）が定まるレンズ装置においては、この方式を用いるのがよい。なお、この方式を用いる場合には、ズームレンズ群の位置を検出するズーム位置検出手段をレンズ装置１００の構成に加える必要がある。
【００７９】
明るさに関する情報としては、タリーランプに印加する電圧値を用いたが、それに代えて、タリーランプの輝度を用いてもよい。
【００８０】
また、タリーランプが複数の発光手段を有する場合には、発光させる発光手段の数を明るさに関する情報として用いてもよい。この場合には、タリーランプを明るくしたい場合には、発光させる発光手段の数を増やし、それとは逆に、タリーランプを暗くしたい場合には、発光させる発光手段の数を減らすことになる。
【００８１】
また、本実施例においては、記憶手段及び設定手段はレンズ装置が有していたが、レンズ装置に接続可能なカメラ装置がこれらを有してもよい。
【００８２】
また、本実施例に記載されたレンズ装置に、一般的なカメラ装置を接続して撮影装置を構成してもよい。
【００８３】
また、記憶手段及び設定手段を有するカメラ装置を、複数のタリーランプ及び制御手段を有するレンズ装置に接続して撮影装置を構成してもよい。
【産業上の利用可能性】
【００８４】
本発明は、カメラに装着されたテレビレンズ、ビデオレンズ等の動画撮影を可能とするレンズ装置に関し、特に該レンズ装置が撮影中、或いは収録中等の状況を表すタリーランプに関するものである。
【符号の説明】
【００８５】
１００  レンズ装置
１０１  システム演算部（設定手段）
１０３  タリー制御モード選択手段（設定手段）
１０４  タリー記憶番号選択手段（設定手段）
１０５  タリーランプ選択手段（設定手段）
１０６  輝度調整手段（設定手段）
１０８  記憶部材（記憶手段）
１０９  タリー制御部（制御手段）
１１１，１１２，１１３，１１４  タリーランプ
【図１】
2014007447.tif 000003
【図２】
2014007447.tif 000004
【図３】
2014007447.tif 000005
【図４】
2014007447.tif 000006
【図５】
2014007447.tif 000007
【図６】
2014007447.tif 000008
【図７】
2014007447.tif 000009